(57)【要約】      （修正有）【課題】スマートフォンのような携帯端末においてユーザ登録する際でも、利用規約を読みやすくすること。【解決手段】ユーザからユーザ情報の登録を受け付け、ユーザ情報の登録受付に応答して、利用規約を表示制御する。ユーザから利用規約の送信先となるメールアドレスを受け付け、受け付けたメールアドレスへの前記利用規約の送信指示を受け付ける。受け付けたメールアドレスに対して利用規約を送信し、メールアドレスを予め入力した状態で、ユーザ情報の登録画面を表示制御する。【選択図】図３
2018005442.tif 000002
【特許請求の範囲】
【請求項１】
ユーザからユーザ情報の登録を受け付ける受付手段と、
前記受付手段によるユーザ情報の登録受付に応答して、利用規約を表示制御する表示制御手段と、
ユーザから利用規約の送信先となるメールアドレスを受け付けるアドレス受付手段と、
前記アドレス受付手段により受け付けたメールアドレスへの前記利用規約の送信指示を受け付けるメール送信指示受付手段と、
前記メール送信指示受付手段により指示を受け付けた場合、前記アドレス受付手段により受け付けたメールアドレスに対して利用規約を送信する送信手段と、
前記表示制御手段は、さらに、前記アドレス受付手段で受け付けたメールアドレスを予め入力した状態で、ユーザ情報の登録画面を表示制御することを特徴とする情報処理装置。
【請求項２】
情報処理装置における情報処理方法であって、
前記情報処理装置の受付手段が、ユーザからユーザ情報の登録を受け付ける受付工程と、
前記情報処理装置の表示制御手段が、前記受付工程によるユーザ情報の登録受付に応答して、利用規約を表示制御する表示制御工程と、
前記情報処理装置のアドレス受付手段が、ユーザから利用規約の送信先となるメールアドレスを受け付けるアドレス受付工程と、
前記情報処理装置のメール送信指示受付手段が、前記アドレス受付工程により受け付けたメールアドレスへの前記利用規約の送信指示を受け付けるメール送信指示受付工程と、
前記情報処理装置の送信手段が、前記メール送信指示受付工程により指示を受け付けた場合、前記アドレス受付工程により受け付けたメールアドレスに対して利用規約を送信する送信工程と、
前記表示制御工程は、さらに、前記アドレス受付工程で受け付けたメールアドレスを予め入力した状態で、ユーザ情報の登録画面を表示制御することを特徴とする情報処理方法。
【請求項３】
情報処理装置において実行可能なプログラムであって、
前記情報処理装置を、
ユーザからユーザ情報の登録を受け付ける受付手段と、
前記受付手段によるユーザ情報の登録受付に応答して、利用規約を表示制御する表示制御手段と、
ユーザから利用規約の送信先となるメールアドレスを受け付けるアドレス受付手段と、
前記アドレス受付手段により受け付けたメールアドレスへの前記利用規約の送信指示を受け付けるメール送信指示受付手段と、
前記メール送信指示受付手段により指示を受け付けた場合、前記アドレス受付手段により受け付けたメールアドレスに対して利用規約を送信する送信手段として機能させ、
前記表示制御手段を、さらに、前記アドレス受付手段で受け付けたメールアドレスを予め入力した状態で、ユーザ情報の登録画面を表示制御する手段として機能させるためのプログラム。
【発明の詳細な説明】
【技術分野】
【０００１】
本発明は、情報処理装置、情報処理方法、プログラムに関する。
【背景技術】
【０００２】
写真管理サービスやアルバム作成サービスなど、様々なサービスがウェブ上で提供されている。これらのサービスを利用する場合、個人情報の取り扱いなどを規定した利用規約に同意し、個人情報を登録することが必要となっている。
【０００３】
また、スマートフォンのように、小型の端末からウェブサービスにアクセスし、登録することも行われている。
【先行技術文献】
【特許文献】
【０００４】
【特許文献１】特開２００６−１５５００７号公報
【発明の開示】
【発明が解決しようとする課題】
【０００５】
特許文献１には、利用規約等を十分に確認せずにウェブサイトにアクセスしてしまうことを防止する技術であって、利用規約等に所定の文字列が含まれている場合には、注意喚起をする技術について記載がされている。
【０００６】
注意喚起をしたとしても、最終的にはユーザが利用規約を読み込んで確認する必要があり、利用規約は情報量が多いため小さな文字で書かれていることが多く、画面が小さい端末の場合、非常に読みづらい。特に、ウェブブラウザを介して表示する場合は、利用規約を表示できる面積も小さくなるため、何度もスクロール操作をする必要があり、余計に読みづらい。
【０００７】
そこで、本発明は、スマートフォンのような携帯端末においてユーザ登録する際でも、利用規約を読みやすくするための仕組みを提供することを目的とする。
【課題を解決するための手段】
【０００８】
本発明の情報処理装置は、ユーザからユーザ情報の登録を受け付ける受付手段と、前記受付手段によるユーザ情報の登録受付に応答して、利用規約を表示制御する表示制御手段と、ユーザから利用規約の送信先となるメールアドレスを受け付けるアドレス受付手段と、前記アドレス受付手段により受け付けたメールアドレスへの前記利用規約の送信指示を受け付けるメール送信指示受付手段と、前記メール送信指示受付手段により指示を受け付けた場合、前記アドレス受付手段により受け付けたメールアドレスに対して利用規約を送信する送信手段と、前記表示制御手段は、さらに、前記アドレス受付手段で受け付けたメールアドレスを予め入力した状態で、ユーザ情報の登録画面を表示制御することを特徴とする。
【０００９】
また、本発明の情報処理方法は、情報処理装置における情報処理方法であって、前記情報処理装置の受付手段が、ユーザからユーザ情報の登録を受け付ける受付工程と、前記情報処理装置の表示制御手段が、前記受付工程によるユーザ情報の登録受付に応答して、利用規約を表示制御する表示制御工程と、前記情報処理装置のアドレス受付手段が、ユーザから利用規約の送信先となるメールアドレスを受け付けるアドレス受付工程と、前記情報処理装置のメール送信指示受付手段が、前記アドレス受付工程により受け付けたメールアドレスへの前記利用規約の送信指示を受け付けるメール送信指示受付工程と、前記情報処理装置の送信手段が、前記メール送信指示受付工程により指示を受け付けた場合、前記アドレス受付工程により受け付けたメールアドレスに対して利用規約を送信する送信工程と、前記表示制御工程は、さらに、前記アドレス受付工程で受け付けたメールアドレスを予め入力した状態で、ユーザ情報の登録画面を表示制御することを特徴とする。
【００１０】
また、本発明のプログラムは、情報処理装置において実行可能なプログラムであって、前記情報処理装置を、ユーザからユーザ情報の登録を受け付ける受付手段と、前記受付手段によるユーザ情報の登録受付に応答して、利用規約を表示制御する表示制御手段と、ユーザから利用規約の送信先となるメールアドレスを受け付けるアドレス受付手段と、前記アドレス受付手段により受け付けたメールアドレスへの前記利用規約の送信指示を受け付けるメール送信指示受付手段と、前記メール送信指示受付手段により指示を受け付けた場合、前記アドレス受付手段により受け付けたメールアドレスに対して利用規約を送信する送信手段として機能させ、前記表示制御手段を、さらに、前記アドレス受付手段で受け付けたメールアドレスを予め入力した状態で、ユーザ情報の登録画面を表示制御する手段として機能させるためのプログラムである。
【発明の効果】
【００１１】
本発明によれば、スマートフォンのような携帯端末においてユーザ登録する際でも、利用規約を読みやすくすることが可能となる。
【図面の簡単な説明】
【００１２】
【図１】本実施例における情報処理システムの構成の一例を示す図
【図２】携帯端末１０１、サーバ装置１０３のハードウェア構成の一例を示すブロック図
【図３】携帯端末１０１とサーバ装置１０３とが実行するユーザ登録処理を示すフローチャート
【図４】携帯端末１０１とサーバ装置１０３とが実行するユーザ登録処理を示すフローチャート
【図５】メールアドレスと携帯端末の識別情報を対応付けて登録されたデータテーブルの一例
【図６】ユーザ登録画面の一例を示す図
【図７】利用規約を電子メールで送信するための画面の一例を示す図
【図８】再表示された利用規約同意画面の一例を示す図
【図９】メールアドレスが入力されたユーザ登録画面の一例を示す図
【発明を実施するための形態】
【００１３】
以下、図面を参照して、本発明の実施形態を詳細に説明する。
【００１４】
図１は、本実施例における情報処理システムの構成を示す図である。図１に示す通り、携帯端末１０１とサーバ装置１０３とがネットワーク１０２を介して通信可能に接続されている。
【００１５】
図２は、本発明の実施形態に係わる携帯端末１０１、サーバ装置１０３のハードウェア構成の一例を示すブロック図である。
【００１６】
図２に示すように、携帯端末１０１、サーバ装置１０３では、システムバス２００を介してＣＰＵ（Ｃｅｎｔｒａｌ  Ｐｒｏｃｅｓｓｉｎｇ  Ｕｎｉｔ）２０１、ＲＯＭ（Ｒｅａｄ  Ｏｎｌｙ  Ｍｅｍｏｒｙ）２０２、ＲＡＭ（Ｒａｎｄｏｍ  Ａｃｃｅｓｓ  Ｍｅｍｏｒｙ）２０３、記憶装置２０４、入力コントローラ２０５、音声入力コントローラ２０６、ビデオコントローラ２０７、メモリコントローラ２０８、および通信Ｉ／Ｆコントローラ２０９が接続される。
【００１７】
ＣＰＵ２０１は、システムバス２００に接続される各デバイスやコントローラを統括的に制御する。
【００１８】
ＲＯＭ２０２あるいは記憶装置２０４は、ＣＰＵ２０１が実行する制御プログラムであるＢＩＯＳ（Ｂａｓｉｃ  Ｉｎｐｕｔ／Ｏｕｔｐｕｔ  Ｓｙｓｔｅｍ）やＯＳ（Ｏｐｅｒａｔｉｎｇ  Ｓｙｓｔｅｍ）や、本情報処理方法を実現するためのコンピュータ読み取り実行可能なプログラムおよび必要な各種データ（データテーブルを含む）を保持している。
【００１９】
ＲＡＭ２０３は、ＣＰＵ２０１の主メモリ、ワークエリア等として機能する。ＣＰＵ２０１は、処理の実行に際して必要なプログラム等をＲＯＭ２０２あるいは記憶装置２０４からＲＡＭ２０３にロードし、ロードしたプログラムを実行することで各種動作を実現する。
【００２０】
入力コントローラ２０５は、キーボード／タッチパネル２１０などの入力装置からの入力を制御する。入力装置はこれに限ったものでなく、マウスやマルチタッチスクリーンなどの、複数の指でタッチされた位置を検出することが可能なタッチパネルであってもよい。
【００２１】
ユーザがタッチパネルに表示されたアイコンやカーソルやボタンに合わせて押下（指等でタッチ）することにより、各種の指示を行うことができる。
【００２２】
この入力装置を用いて各種通信装置で利用可能な通信宛先に対する宛先を入力するようになっている。
【００２３】
音声入力コントローラ２０６は、マイク２１１からの入力を制御する。マイク２１１から入力された音声を音声認識することが可能となっている。
【００２４】
ビデオコントローラ２０７は、ディスプレイ２１２などの外部出力装置への表示を制御する。ディスプレイは本体と一体になったノート型パソコンのディスプレイも含まれるものとする。なお、外部出力装置はディスプレイに限ったものははく、例えばプロジェクタであってもよい。また、前述のタッチ操作により受け付け可能な装置については、キーボード／タッチパネル２１０からの入力を受け付けることも可能となる。
【００２５】
なおビデオコントローラ２０７は、表示制御を行うためのビデオメモリ（ＶＲＡＭ）を制御することが可能で、ビデオメモリ領域としてＲＡＭ２０３の一部を利用することもできるし、別途専用のビデオメモリを設けることも可能である。
【００２６】
本発明では、ユーザが情報処理装置を通常する場合の表示に用いられる第１のビデオメモリ領域と、所定の画面が表示される場合に、第１のビデオメモリ領域の表示内容に重ねての表示に用いられる第２のビデオメモリ領域を有している。ビデオメモリ領域は２つに限ったものではなく、情報処理装置の資源が許す限り複数有することが可能なものとする。
【００２７】
メモリコントローラ２０８は、外部メモリ２１３へのアクセスを制御する。外部メモリとしては、ブートプログラム、各種アプリケーション、フォントデータ、ユーザファイル、編集ファイル、および各種データ等を記憶する外部記憶装置（ハードディスク）、フレキシブルディスク（ＦＤ）、或いはＰＣＭＣＩＡカードスロットにアダプタを介して接続されるコンパクトフラッシュ（登録商標）メモリ等を利用可能である。
【００２８】
通信Ｉ／Ｆコントローラ２０９、ネットワーク２１４を介して外部機器と接続・通信するものであり、ネットワークでの通信制御処理を実行する。例えば、ＴＣＰ／ＩＰを用いた通信やＩＳＤＮなどの電話回線、および携帯電話の３Ｇ回線を用いた通信が可能である。
【００２９】
なお、記憶装置２０４は情報を永続的に記憶するための媒体であって、その形態をハードディスク等の記憶装置に限定するものではない。例えば、ＳＳＤ（Ｓｏｌｉｄ  Ｓｔａｔｅ  Ｄｒｉｖｅ）などの媒体であってもよい。
【００３０】
また本実施形態における通信端末で行われる各種処理時の一時的なメモリエリアとしても利用可能である。
【００３１】
次に図３、図４に示すフローチャートを用いて、本実施例において携帯端末１０１とサーバ装置１０３とが実行するユーザ登録処理について説明する。
【００３２】
ステップＳ３０１では、携帯端末１０１のＣＰＵ２０１は、ウェブブラウザによりユーザから指定されたウェブサイトにおけるユーザ登録画面を表示する。
ユーザ登録画面の一例を図６に示す。
【００３３】
図６における「上記利用規約に同意します」のチェックボックス６０２にチェックがなされ、「同意して次へ」ボタン６０３が押下された場合（Ｓ３０２）は、処理をステップＳ３１１に移行する。
【００３４】
「利用規約をメールで送る」ボタン６０１が押下された場合（Ｓ３０３）は、処理をステップＳ３０４に移行する。
【００３５】
ステップＳ３０４では、携帯端末１０１のＣＰＵ２０１は、利用規約を電子メールで送信するための画面をサーバ装置１０３から受信し、表示する。画面の一例を図７に示す。
【００３６】
ステップＳ３０５では、携帯端末１０１のＣＰＵ２０１は、ユーザから利用規約の送信先となる電子メールアドレスの入力を受け付ける。図７の７０１にメールアドレスの入力欄、７０２に確認用メールアドレス入力欄を示す。そして、ユーザから送信ボタン７０３の押下を受け付ける。
【００３７】
ステップＳ３０６では、携帯端末１０１のＣＰＵ２０１は、ステップＳ３０５で入力を受け付けたメールアドレスと、当該携帯端末を識別するための情報（機種情報や個体識別情報など）をサーバ装置１０３に送信する。
【００３８】
ステップＳ３０７では、サーバ装置１０３のＣＰＵ２０１は、ステップＳ３０６で携帯端末から送信されたメールアドレスと識別情報とを対応付けて、記憶する。メールアドレスと識別情報とを対応付けて記憶したデータテーブルの一例を図５に示す。
【００３９】
図５に示す通り、登録された日時、携帯端末のメーカー、機種、個体識別番号、メールアドレス、利用規約のバージョンが登録されている。
【００４０】
ステップＳ３０８では、サーバ装置１０３のＣＰＵ２０１は、ステップＳ３０６で携帯端末１０１から送信されたメールアドレスに対して、利用規約を送信する。
【００４１】
ステップＳ３０９では、携帯端末１０１のＣＰＵ２０１は、利用規約同意画面を再表示する。再表示された利用規約同意画面を図８に示す。
【００４２】
ここで、ステップＳ３０８で送信したメールがユーザにより開封されたことが確認できた場合に、図８の画面を表示するよう制御することで、ユーザが利用規約を確認した上で同意したことが担保される。
【００４３】
ステップＳ３１０では、携帯端末１０１のＣＰＵ２０１は、図８における「上記利用規約に同意します」のチェックボックス８０１へのチェックを受け付け、「同意して次へ」ボタン８０２の押下を受け付ける。チェックボックス８０１へのチェックを受け付け「同意して次へ」ボタン８０２の押下がなされた場合は、処理をステップＳ３１１に移行する。
【００４４】
ステップＳ３１１では、携帯端末１０１のＣＰＵ２０１は、利用規約をメールで送信した履歴をサーバ装置１０３に問い合わせる。
【００４５】
ステップＳ３１２では、サーバ装置１０３のＣＰＵ２０１は、ステップＳ３１１で問い合わせをした携帯端末の機種情報や個体識別番号が記憶されているかを確認する。記憶されている場合は、当該携帯端末に対応付けて記憶されたメールアドレスを当該携帯端末に対して送信する。
以下、図４に示すフローチャートを参照して説明する。
【００４６】
ステップＳ３１３では、携帯端末１０１のＣＰＵ２０１は、サーバ装置１０３からメールアドレスが送信されてきたか否か、すなわち、サーバ装置１０３に携帯端末に関する情報が記憶されていたか否かを判断する。
【００４７】
メールアドレスが送信されてきた場合（ステップＳ３１３：ＹＥＳ）は、処理をステップＳ３１４に移行する。
【００４８】
メールアドレスが送信されてこない場合（ステップＳ３１３：ＮＯ）は、処理をステップＳ３１５に移行する。
【００４９】
ステップＳ３１４では、携帯端末１０１のＣＰＵ２０１は、ユーザ登録画面のメールアドレス入力欄にステップＳ３１３で受信したメールアドレス（すなわち、図７の画面で入力したメールアドレス）が入力された画面を表示する。当該画面の一例を図９に示す。
【００５０】
ステップＳ３１５では、携帯端末１０１のＣＰＵ２０１は、メールアドレス入力欄が空欄の状態で、ユーザ登録画面を表示する。
【００５１】
ステップＳ３１６では、携帯端末１０１のＣＰＵ２０１は、ユーザ情報の送信指示を受け付けると、当該ユーザ情報をサーバ装置１０３に送信する。
【００５２】
以上の処理により、画面が小さい携帯端末においても、利用規約を確認しやすくすることが可能となる。また、一度入力されたメールアドレスを、その後のユーザ登録においても利用することで、ユーザの利便性を向上させることが可能となる。
【００５３】
また、本発明におけるプログラムは、図３、図４の処理をコンピュータに実行させるプログラムである。なお、本発明におけるプログラムは、図３、図４の各処理ごとのプログラムであってもよい。
【００５４】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読み出し、実行することによっても本発明の目的が達成されることは言うまでもない。
【００５５】
この場合、記録媒体から読み出されたプログラム自体が本発明の新規な機能を実現することになり、そのプログラムを記録した記録媒体は本発明を構成することになる。
【００５６】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク等を用いることが出来る。
【００５７】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００５８】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００５９】
また、本発明は、複数の機器から構成されるシステムに適用しても、ひとつの機器から成る装置に適用しても良い。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【００６０】
さらに、本発明を達成するためのプログラムをネットワーク上のサーバ、データベース等から通信プログラムによりダウンロードして読み出すことによって、そのシステムあるいは装置が、本発明の効果を享受することが可能となる。なお、上述した各実施形態およびその変形例を組み合わせた構成も全て本発明に含まれるものである。
【符号の説明】
【００６１】
１０１  携帯端末
１０３  サーバ装置
【図１】
2018005442.tif 000003
【図２】
2018005442.tif 000004
【図３】
2018005442.tif 000005
【図４】
2018005442.tif 000006
【図５】
2018005442.tif 000007
【図６】
2018005442.tif 000008
【図７】
2018005442.tif 000009
【図８】
2018005442.tif 000010
【図９】
2018005442.tif 000011